(57)【要約】      （修正有）【課題】旗竿を背負ったまま、両手を自由に使って様々な作業を行うことを可能にするとともに、旗竿を安定性よく背負う。【解決手段】使用者の胴体に巻き付けて装着されるベルト状部材Ｂに、胴体の背部に配備される竿保持体５を装備させる。ベルト状部材Ｂが、上部ベルト１０及び下部ベルト３０と、上部ベルトに連結した左右の肩掛けベルト４０とを有する。上部ベルト１０と下部ベルト３０とを互いに独立させ、竿保持体５を、上部ベルト１０に装備した筒状の上側竿保持部５１と、下部ベルト３０に装備した有底筒状の下側竿保持部５５とによって構成する。上部ベルト１０を、２本のベルト要素１１，１５によって構成しておいてもよい。【選択図】図６
0003119109.tif 000002
【実用新案登録請求の範囲】
【請求項１】
使用者の胴体に巻き付けて装着されるベルト状部材に、上記胴体の背部に配備されて竿体が差し込まれ、かつ、その下端から竿体が抜落しないように形成した筒部を備えた竿保持体が装備されていることを特徴とする竿体背負い具。
【請求項２】
上記ベルト状部材が、上記胴体の上下２箇所に巻き付けられる上部ベルト及び下部ベルトと、上部ベルトに連結されて上記胴体の肩部に掛け渡される肩掛けベルトと、を有し、上記竿保持体が、上部ベルトと下部ベルトとの両方に一連の筒部として形成したことを特徴とする請求項１に記載した竿体背負い具。
【請求項３】
請求項１記載のベルト状部材が、上記胴体の上下２箇所に巻き付けられる上部ベルト及び下部ベルトと、上部ベルトに連結されて上記胴体の肩部に掛け渡される肩掛けベルトと、を有し、上記竿保持体が、上部ベルトと下部ベルトとに分割して設けられていることを特徴とする請求項１に記載した竿体背負い具。
【請求項４】
上部ベルトと下部ベルトとが互いに独立しており、上記竿保持体が、上部ベルトに装備されて竿体が挿通される筒状の上側竿保持部と、下部ベルトに装備されて上記上側竿保持部に挿通された竿体の下端部が挿入される有底筒状の下側竿保持部とに分割されている請求項３に記載した竿体背負い具。
【請求項５】
上部ベルトが、上下に間隔を隔てて上記胴体に巻き付けられる２本のベルト要素に分割されていて、それら２本のベルト要素のそれぞれに上記上側竿保持部の上端部及び下端部が個別に固着されている請求項４に記載した竿体背負い具。
【請求項６】
上記下側竿保持部が、上記下部ベルトから吊り下がっている請求項４又は請求項５に記載した竿体背負い具。
【考案の詳細な説明】
【技術分野】
【０００１】
本考案は、竿体背負い具、詳しくは、旗やのぼりなどをつけた竿体を背負ったまま、両手を自由に使って様々な作業を行うことを可能にするような対策を講じた竿体背負い具に関する。
【背景技術】
【０００２】
従来、広告や告知事項などをあしらった旗やのぼりを付けた竿体（以下「旗竿」という）を道端に立てたりすることが行われている。また、街頭の決まった場所で広告宣伝活動などをするときに、１人が上記のような旗竿を持ち、他の人が記念品を配ったり、マイクロフォンで放送を行ったりするということも行われている。
【０００３】
一方、魚釣り用の竿受けベルトとして、身体に装着したベルトに筒状の竿保持と竿尻受けとを取り付けておくことにより、釣り竿を竿保持や竿尻受けに差し込んだまま、両手で仕掛け替えを行うことができるようにしたものが提案されている（たとえば、特許文献１参照）。また、軽量で小物の取出しが容易な背負子についての提案もなされている（たとえば、特許文献２参照）。
【０００４】
【特許文献１】実用新案登録第３０７１２３１号公報
【特許文献２】実用新案登録第３１００１７５号公報
【考案の開示】
【考案が解決しようとする課題】
【０００５】
しかしながら、従来のように旗竿を道端に立てたりすると、その旗竿が通行の邪魔になることがある。また、上記したような街頭での広告宣伝活動では、旗竿を持つ人が両手を自由に使えないために、旗竿を持つ人と記念品を配ったりする人、放送をする人が別々に必要になって人員的にも経済的にも不利である。
【０００６】
そこで、旗竿を背負ったまま、両手を自由に使えるようにすると、旗竿を道端に立てたりしなくて済み、また、旗竿を背負った人が自ら記念品などを配ったり放送を行ったりすることができるようになるという利便があると云える。
【０００７】
この点に関し、特許文献１によって提案されている技術は、釣り竿を取り扱う魚釣り用竿受けベルトに関するものであるので、それを旗竿の背負い具として転用することはできない。また、仮に転用できたとしても、背負った旗竿がその自重によって、あるいは、風に煽られたりして、倒れてしまうというおそれがある。また、特許文献２によって提案されている背負子は、小物などを背負うことに利用することはできても、旗竿を背負うことには利用することができない。
【０００８】
本考案は、以上の状況に鑑みてなされたものであり、旗竿を背負ったまま、両手を自由に使って様々な作業を行うことが可能になるだけでなく、旗竿を安定性よく背負うことのできる竿体背負い具を提供することを目的とする。
【課題を解決するための手段】
【０００９】
本考案に係る竿体背負い具は、使用者の胴体に巻き付けて装着されるベルト状部材に、上記胴体の背部に配備されて竿体が差し込まれる止留筒部を備えた竿保持体が装備されている。
この構成であれば、竿保持体の有底筒部に竿体を差し込むことによって竿体が竿保持体に保持される。
【００１０】
本考案に係る竿体背負い具は、上記ベルト状部材が、上記胴体の上下２箇所に巻き付けられる上部ベルト及び下部ベルトと、上部ベルトに連結されて上記胴体の肩部に掛け渡される肩掛けベルトと、を有し、上記竿体が差し込まれ、かつ、その下端から竿体が抜落しないように形成した筒部を備えた竿保持体が、上部ベルトと下部ベルトとの両方に一連として設けられている、というものである。
この構成であれば、竿保持体の有底筒部に竿体を差し込むことによって竿体が竿保持体に保持されると共に、その竿保持体を装備しているベルト状部材が、使用者の胴体の上下２箇所に巻き付けられる上部ベルト及び下部ベルトを有していることに加えて、胴体の肩部に掛け渡される肩掛けベルトを有し、さらに、竿保持体が胴体の上下２箇所に巻き付けられる上部ベルト及び下部ベルトの両方一連に連結されていることにより、竿体を保持している竿保持体がぐらついたりずれ落ちたりしないようにしっかりと胴体に装着される。このことにより、竿体が重くても、あるいは、竿体が風に煽られたりしても、使用者にとっては竿体を安定性よく背負っておくことが可能になる。また、竿体を背負っているときでも使用者の両手が空いているので、使用者は竿体を背負ったまま、空いている両手を自由に使うことができるほか、自由に歩行したり自転車に乗ったりすることも可能になる。
【００１１】
本考案に係る竿体背負い具は、上記ベルト状部材が、上記胴体の上下２箇所に巻き付けられる上部ベルト及び下部ベルトと、上部ベルトに連結されて上記胴体の肩部に掛け渡される肩掛けベルトと、を有し、上記竿体が差し込まれ、かつ、その下端から竿体が抜落しないように形成した筒部を備えた竿保持体が、上部ベルトと下部ベルトとに分割して設けられている、というものである。
この構成であれば、竿保持体に竿体を差し込むことによって竿体が竿保持体に保持されると共に、その竿保持体を装備しているベルト状部材が、使用者の胴体の上下２箇所に巻き付けられる上部ベルト及び下部ベルトを有していることに加えて、胴体の肩部に掛け渡される肩掛けベルトを有し、さらに、竿保持体が胴体の上下２箇所に巻き付けられる上部ベルトと下部ベルトに分割して設けられていることにより、竿体を保持している竿保持体がぐらついたりずれ落ちたりしないようにしっかりと胴体に装着される。このことにより、竿体が重くても、あるいは、竿体が風に煽られたりしても、使用者にとっては竿体を安定性よく背負っておくことが可能になる。また、竿体を背負っているときでも使用者の両手が空いているので、使用者は竿体を背負ったまま、空いている両手を自由に使うことができるほか、自由に歩行したり自転車に乗ったりすることも可能になる。
【００１２】
また本考案に係る竿体背負い具では、上部ベルトと下部ベルトとが互いに独立しており、上記竿保持体が、上部ベルトに装備されて竿体が挿通される筒状の上側竿保持部と、下部ベルトに装備されて上記上側竿保持部に挿通された竿体の下端部が挿入される有底筒状の下側竿保持部とに分割されていることが望ましい。
これによれば、上部ベルトと下部ベルトとが互いに独立しているために、胴体に装着したそれら上下のベルトの間隔を調整して上記の上側竿保持部と下側竿保持部との相互間隔を使用者の体型に合わせて適度に定めることが可能になって、竿体を背負うことによる使用者の負担が最少限度に抑えられにもかかわらず、竿保持体に差し込んだ竿体が、筒状の上側竿保持部と有底筒状の下側竿保持部とによって上下２箇所で倒れないように支えられるために竿体を安定性よく背負うことが可能になる。
【００１３】
本考案では、上部ベルトが、上下に間隔を隔てて上記胴体に巻き付けられる２本のベルト要素に分割されていて、それら２本のベルト要素のそれぞれに上記上側竿保持部の上端部及び下端部が個別に固着されていることが望ましい。これによれば、上部ベルトが２本のベルト要素に分割されているために、上部ベルトを幅広の単一ベルト要素によって構成した場合に比べ、上部ベルトを胴体に巻き付けて装着した場合の圧迫感が少なく抑えられるにもかかわらず、それら２本のベルト要素の両方に亘って上側竿保持部が固着されているために、その上側竿保持部によって竿体を安定性よく保持させることが可能になる。
【００１４】
本考案では、上記下側竿保持部が、上記下部ベルトから吊り下がっていることが望ましい。
これによれば、下側竿保持部が下部ベルトに重なり合って装備されている場合に比べ、その下側竿保持部と上記の上側竿保持部との相互間隔が広くなるために、下側竿保持部と上側竿保持部とにより竿体を倒れないように保持させたときの安定性が向上する。
【考案の効果】
【００１５】
以上のように、本考案に係る竿体背負い具によれば、旗竿などとして用いられる竿体を背負ったまま、両手を自由に使って様々な作業を行ったり、歩行したり、自転車に乗って移動したりすることが可能になるだけでなく、竿体を安定性よく背負うことが可能になる。そのため、たとえば、広告宣伝用の旗竿を立てて街頭で記念品などを歩行者に配るという作業を行うような場合に、最少でも２人の人員を配置する必要があった従来に比べて、１人だけでその作業を行うことができるようになるという効果が奏される。また、道端に旗竿などを立て掛ける場合に比べ、旗竿などが通行の邪魔にならず、しかも、風の比較的強い日でも竿体を安定性よく背負って活動することができるという利点もある。
【考案を実施するための最良の形態】
【００１６】
図１は本考案に係る竿体背負い具の上部ベルト１０などを示した正面図、図２は同竿体背負い具の下部ベルト３０などを示した正面図、図３は図１のＩＩＩ線に沿う部分を拡大して示した一部破断側面図、図４は図２のＩＶ−ＩＶ線に沿う部分を拡大して示した断面図であり、図５及び図６はそれぞれ使用状態を正面又は背面から見て示した説明図である。
【００１７】
この竿体背負い具は、図１の上部ベルト１０及び図２の下部ベルト３０と、図１の肩掛けベルト４０、との３者の組み合わせによって構成されるベルト状部材Ｂを有していると共に、図１の上側竿保持部５１と図２の下側竿保持部５５との組み合わせによって構成される竿保持体５を有している。
【００１８】
図１の上部ベルト１０と図２の下部ベルト３０とは別体であって互いに独立しており、それらは個別に使用者の胴体に装着される。そして、上部ベルト１０は、さらに胴体胸部の上下２箇所に間隔を隔てて巻き付けられる２本の細幅のベルト要素１１，１５の組み合わせでなる。そして、これら２本のベルト要素１１，１５の中間部が、縦長に形成された上記上側竿保持部５１の上端部と下端部とに縫い合わされて固着されている。さらに、上記肩掛けベルト４０は、その一端部４１と他端部４２とが、上側竿保持部５１の左右対称位置で上下２本の上記ベルト要素１１，１５に２箇所でそれぞれ縫い合わされている。したがって、上下２本のベルト要素１１，１５の相互間隔は、肩掛けベルト４０の一端部４１及び他端部４２のそれぞれ２箇所の縫い合わせ位置の相互間隔によって定まっている。さらに、左右それぞれの肩掛けベルト４０，４０はそれらの中間の１箇所で分割されていて、一方側の分割端部４３にバックル４５が取り付けられ、そのバックル４５に他方側の分割端部４４を連結したり、連結状態での肩掛けベルト４０の有効長を調節することができるようになっている。
【００１９】
これに対し、上下２本のベルト要素１１，１５は、それぞれの一端部と他端部とに、互いに着脱される雌雄２つの部材の組み合わせでなるクランプ１２ａ，１２ｂ、１６ａ，１６ｂが取り付けられている。そして、上側のベルト要素１１については、他端部側のクランプ１２ｂの取付け位置を調節した上でそのクランプ１２ｂを一端側のクランプ１２ａに装着することによって、そのベルト要素１１の有効長を調節することができるようになっている。下側のベルト要素１５についても同様である。
図２に示した下部ベルト３０は細幅に形成されていて、その下部ベルト３０についても同様に、その一端部と他端部とに互いに着脱される雌雄２つの部材の組み合わせでなるクランプ３１ａ，３１ｂが取り付けられていて、それらのクランプ３１ａ，３１ｂの取付け位置を調節した上で両者３１ａ，３１ｂ互いに装着することによって、その下部ベルト３０の有効長を調節することができるようになっている。
【００２０】
図２のように、下部ベルト３０の中間部に、上記下側竿保持部５５が吊り下がった状態で保持されている。上記したように、この下側竿保持部５５は、図１の上側竿保持部５１と組み合わされて有底筒部を備える竿保持体５を構成する。
【００２１】
図３のように、上記した上側竿保持部５１は、上下のベルト要素１１，１５が縫着されている縦長のクッション材５２に表布５３を縫着することにより形成されていて、仮想線で示した竿体６０をクッション材５２と表布５３との間に挿通させることによって筒形に拡げられるようになっている。また、図４のように、上記した下側竿保持部５５は、下部ベルト３０に吊り下げられる裏布５６に表布５７を縫着することにより有底筒状に形成されていて、仮想線で示した竿体６０を裏布５６と表布５７との間に挿入させることによって筒状に拡げられ、かつ、その竿体６０の下端（竿尻）を受け止めるようになっている。
【００２２】
以上のように構成されている竿体背負い具Ａの使用方法の一例を図５及び図６を参照して説明する。
【００２３】
使用者が当該竿体背負い具Ａを装備するときには、たとえば図５又は図６のように、左右の肩掛けベルト４０，４０のバックル４５，４５に他方側の分割端部４４，４４を連結してループ状に保形し、かつ、それらの肩掛けベルト４０，４０の有効長をやや長めに定めた上で、ループ状の肩掛けベルト４０，４０に左右の腕を通し、次に、上部ベルト１０の上下のベルト要素１１，１５を胴体胸部の上下に巻き付け、クランプ１２ａ，１２ｂ、１６ａ，１６ｂでそれらのベルト要素１１，１５をループ状に連結する。この後。左右の肩掛けベルト４０，４０や上下のベルト要素１１，１５の有効長を、使用者が圧迫感を感じず、しかも、それほど緩くない程度に適切に調節する。ここで、上記したバックル４５やクランプ１２ａ，１２ｂ、１６ａ，１６ｂが胴体の前に位置するようにしておくと、左右の肩掛けベルト４０，４０や上下のベルト要素１１，１５の有効長を調節しやすいという利点がある。
【００２４】
同様にして、下部ベルト３０を胴体の腰部に巻き付け、クランプ３１ａ，３１ｂでその下部ベルト３０をループ状に連結し、その有効長を、使用者が圧迫感を感じない程度に適切に調節する。この場合も、クランプ３１ａ，３１ｂが胴体の前に位置するようにしておくと、下部ベルト３０の有効長を調節しやすいという利点がある。
【００２５】
以上のようにして上部ベルト１０と、左右の肩掛けベルト４０，４０と、下部ベルト３０とを胴体に装着すると、図６のように上側竿保持部５１と下側竿保持部５５とが胴体の背中で上下に並ぶので、同図のように、上側竿保持部５１に挿通させた竿体６０の下端部を下側竿保持部５５に挿入する。
【００２６】
このようにすると、竿体６０がその下端部の２箇所で上下に間隔を隔てた上側竿保持部５１と下側竿保持部５５とによって倒れないように支えられ、しかも、上側竿保持部５１が上部ベルト１０と左右の肩掛けベルト４０，４０とによりしっかりと胴体に装着され、下側竿保持部５５が下部ベルト３０によりしっかりと胴体に装着されているので、使用者が動いたり竿体６０が風に煽られたりしても、竿体６０が倒れたりずれ落ちたりすることがない。また、使用者の両手は空いているので、使用者は、空いている両手を使って自由に作業をすることが可能である。したがって、たとえば、図５や図６のように竿体６０に広告宣伝用ののぼりＣを付けて使用者が街頭に立てば、使用者はそののぼりＣを通行人に見せながら、両手で記念品などを配ったり、両手にマイクロフォンを持って放送を行うことができる。
【００２７】
この実施形態では、竿体背負い具の竿保持体５は、上部ベルト１０及び下部ベルト３０とに上側竿保持部５１と下側竿保持部５５を分割して構成しているが、竿保持体５の他の実施形態を示す図７のように、上部ベルト１０及び下部ベルト３０との両方に一連の筒部として竿保持体５を形成してもよい。
【００２８】
また、図８は下部ベルト３０に設けられた竿保持体５(下側竿保持部５５)の他の実施形態を示し、図９は図８のＶＩＩＩ−ＶＩＩＩ線に沿う部分を拡大して示した一部破断側面図を示すものである。
上記実施形態では、竿保持体５はその下端５Ａから竿体が抜落しないように、その下端部を有底筒部として形成している。しかし、竿体６０が差し込まれ、かつ、その下端５Ａから竿体６０が抜落しないように形成した筒部は、その下端部を有底筒部でなく、図８及び図９に示す如く、その下端５Ａに竿体６０の径より小さい径または幅を有する小孔等が形成されていても、その下端５Ａから竿体６０が抜落しないように形成された筒部でもよく、係る筒部を備えた竿保持体５であれば、その作用効果は同等である。
竿体が差し込まれ、かつ、その下端から竿体が抜落しないように形成した筒部を備えた竿保持体が装備されている
【００２９】
さらに、この実施形態では、ベルト状部材Ｂを構成している上部ベルト１０と下部ベルト３０とを互いに独立したものしてあるけれども、この点は、上部ベルト１０と下部ベルト３０とを短い布で連結しておいてもよい。しかし、実施形態のように両者１０，３０を互いに独立させておくと、上部ベルト１０と下部ベルト３０との間隔を増減して当該竿体背負い具Ａを使用者の体型に合わせて無理なく装着することができるという利点があるほか、上側竿保持部５１と下側竿保持部５５との間隔を拡げて、それらによる竿体６０の支持状態をいっそう安定化させることができるという利点もある。
【００３０】
また、この実施形態では、下側竿保持部５５が下部ベルト３０に吊り下げられているので、上側竿保持部５１と下側竿保持部５５との間隔が上部ベルト１０と下部ベルト３０との間隔よりも拡がり、そのことが、竿体６０をいっそう安定性よく背負うことに役立っている。
【図面の簡単な説明】
【００３１】
【図１】本考案に係る竿体背負い具の上部ベルトなどを示した正面図である。
【図２】同竿体背負い具の下部ベルトなどを示した正面図である。
【図３】図１のＩＩＩ線に沿う部分を拡大して示した一部破断側面図である。
【図４】図２のＩＶ−ＩＶ線に沿う部分を拡大して示した断面図である。
【図５】使用状態を正面から見て示した説明図である。
【図６】使用状態を背面から見て示した説明図である。
【図７】使用状態を背面から見て示した、竿保持体の他の実施形態の説明図である。
【図８】竿保持体の他の実施形態を示した竿体背負い具の下部ベルトなどの正面図である。
【図９】図８のＶＩＩＩ−ＶＩＩＩ線に沿う部分を拡大して示した一部破断側面図である。
【符号の説明】
【００３２】
Ａ  竿体背負い具
Ｂ  ベルト状部材
５  竿保持体
５Ａ  下端
１０  上部ベルト
１１，１５  ベルト要素
３０  下部ベルト
４０  肩掛けベルト
５１  上側竿保持部
５５  下側竿保持部
６０  竿体
【図１】
0003119109.tif 000003
【図２】
0003119109.tif 000004
【図３】
0003119109.tif 000005
【図４】
0003119109.tif 000006
【図５】
0003119109.tif 000007
【図６】
0003119109.tif 000008
【図７】
0003119109.tif 000009
【図８】
0003119109.tif 000010
【図９】
0003119109.tif 000011